(57)【要約】【課題】  アプリケーションソフトにより作成されたドキュメントデータの印刷設定作業の軽減、および、再印刷時の印刷時間短縮。【解決手段】  ホストコンピュータ上で動作するアプリケーションソフトを動作させることが可能な印刷装置を備えた印刷システムにおいて、前記複数のホストコンピュータと前記印刷装置で記憶領域を共有する手段と、共有される記憶領域にファイルが書き込まれたことを監視する手段と、ファイル拡張子に応じて起動するアプリケーションソフトを管理するト手段と、アプリケーションソフトを起動する手段と、アプリケーション毎の印刷設定値を記憶する手段と、設定値に基づき印刷を実行する手段と、印刷画像データを記憶保持する手段と、記憶保持された画像データを管理する手段を有する。【選択図】        図１
2006244150.tif 000002
【特許請求の範囲】
【請求項１】
アプリケーションソフトによりドキュメントデータを作成する複数のホストコンピュータと、ホストコンピュータ上で動作するアプリケーションソフトを動作させることが可能な印刷装置を備えた印刷システムにおいて、前記複数のホストコンピュータと前記印刷装置で記憶領域を共有する記憶領域共有手段と、アプリケーションソフトにより作成されたドキュメントデータファイルが前記記憶領域共有手段により共有される記憶領域に書き込まれたことを監視する監視手段と、ドキュメントデータファイルの拡張子に応じて起動するアプリケーションソフトを管理する起動アプリケーションソフト管理手段と、前記管理手段により管理されている情報をもとにアプリケーションソフトを起動する起動手段と、アプリケーション毎の印刷設定値を記憶する印刷設定値記憶手段と、前記印刷設定記憶手段に記憶された設定値に基づき印刷を実行する印刷手段と、前記印刷手段により生成された印刷画像データを記憶保持する画像記憶手段と、前記画像記憶手段に記憶されている画像データを管理する文書管理手段を有することを特徴とする印刷システム。
【請求項２】
前記画像記憶手段に印刷画像データが記憶保持された後に、前記記憶領域共有手段により共有される記憶領域に書き込まれたドキュメントデータファイルを削除するデータ消去手段を有することを特徴とする印刷システム。
【請求項３】
前記印刷設定値記憶手段に記憶された設定情報と、前記起動アプリケーションソフト管理手段に記憶された設定情報を変更する設定手段を有することを特徴とする印刷システム。
【請求項４】
前記文書管理手段で管理された画像データを選択する印刷データ選択手段と、印刷モードを設定する印刷モード設定手段と、前記印刷データ選択手段ならびに前記印刷モード設定手段により指示された内容に基づき印刷を実行する印刷手段を有することを特徴とする印刷システム。
【請求項５】
アプリケーションソフトによりドキュメントデータを作成する複数のホストコンピュータと、ホストコンピュータ上で動作するアプリケーションソフトを動作させることが可能な印刷装置を備えた印刷システムにおいて、前記複数のホストコンピュータと前記印刷装置で記憶領域を共有する記憶領域共有ステップと、アプリケーションソフトにより作成されたドキュメントデータファイルが前記記憶領域共有ステップにより共有される記憶領域に書き込まれたことを監視する監視ステップと、ドキュメントデータファイルの拡張子に応じて起動するアプリケーションソフトを管理する起動アプリケーションソフト管理ステップと、前記管理ステップにより管理されている情報をもとにアプリケーションソフトを起動する起動ステップと、アプリケーション毎の印刷設定値を記憶する印刷設定値記憶ステップと、前記印刷設定記憶ステップに記憶された設定値に基づき印刷を実行する印刷ステップと、前記印刷ステップにより生成された印刷画像データを記憶保持する画像記憶ステップと、前記画像記憶ステップに記憶されている画像データを管理する文書管理ステップを有することを特徴とする印刷システムの制御方法。
【請求項６】
前記画像記憶ステップに印刷画像データが記憶保持された後に、前記記憶領域共有ステップにより共有される記憶領域に書き込まれたドキュメントデータファイルを削除するデータ消去ステップを有することを特徴とする印刷システムの制御方法。
【請求項７】
前記印刷設定値記憶ステップに記憶された設定情報と、前記起動アプリケーションソフト管理ステップに記憶された設定情報を変更する設定ステップを有することを特徴とする印刷システムの制御方法。
【請求項８】
前記文書管理ステップで管理された画像データを選択する印刷データ選択ステップと、印刷モードを設定する印刷モード設定ステップと、前記印刷データ選択ステップならびに前記印刷モード設定ステップにより指示された内容に基づき印刷を実行する印刷ステップを有することを特徴とする印刷システムの制御方法。
【発明の詳細な説明】
【技術分野】
【０００１】
本発明は、ネットワーク接続されたコンピュータにより作成された印刷データに対し、所定の設定情報に基づいて印刷動作を設定して印刷処理を行う印刷システム及びその制御方法に関するものである。
【背景技術】
【０００２】
従来、パソコン等の装置で、アプリケーションソフトウェアを利用して印刷データを作成し、ネットワークを経由して共用されるプリンタ装置により所望の印刷出力を行う印刷システムが広く普及している。このような印刷システムにおいては、ＰＣ上でアプリケーションを起動し、アプリケーションソフトから印刷設定および印刷指示を行う必要があった。そのため、個々のＰＣに印刷出力を行うためのドライバソフトウェアが必要であった。
【０００３】
また、印刷設定を簡易に行って印刷データの印刷処理を統一的に行うことができる印刷システムとして、特許文献１による提案がなされている。
【特許文献１】特開平１１−２４９８４０号公報
【発明の開示】
【発明が解決しようとする課題】
【０００４】
しかしながら、上記従来例にある印刷システムでは、各ＰＣに印刷装置に印刷するためのドライバソフトのインストールを行う必要があったり、既に作成済のファイルを印刷する際、各ＰＣの使用者がそれぞれＰＣ上でアプリケーションソフトウェアを起動させて印刷設定を行わなければならないなど、ユーザーにとって煩わしく非効率な問題があった。
【０００５】
また、印刷設定を簡易に行って印刷データの印刷処理を統一的に行うことができたとしても、その都度アプリケーションにより作成したファイルを印刷装置に送り、印刷用の画像データの形成を行う必要があるため、印刷に時間を要するという問題があった。
【０００６】
本発明は上記の点に鑑みてなされたもので、その目的は、印刷装置側のアプリケーションソフトを利用して印刷を行えるようにするとにより、各ＰＣへのドライバソフトのインストールやアプリケーションソフトにより作成されたドキュメントデータの印刷設定作業を軽減し、さらに、一旦印刷用に形成した画像データを印刷装置に記憶し、記憶された画像データを利用して種々の印刷モードでの印刷を可能にすることで再印刷時に掛かる時間を短くすることで、ユーザーの作業効率を向上できる利便性に優れた印刷システム及びその制御方法を提供することを目的とする。
【課題を解決するための手段】
【０００７】
上記目的を達成するために本発明の請求項１記載の印刷システムは、アプリケーションソフトによりドキュメントデータを作成する複数のホストコンピュータと、ホストコンピュータ上で動作するアプリケーションソフトを動作させることが可能な印刷装置を備えた印刷システムにおいて、前記複数のホストコンピュータと前記印刷装置で記憶領域を共有する記憶領域共有手段と、アプリケーションソフトにより作成されたドキュメントデータファイルが前記記憶領域共有手段により共有される記憶領域に書き込まれたことを監視する監視手段と、ドキュメントデータファイルの拡張子に応じて起動するアプリケーションソフトを管理する起動アプリケーションソフト管理手段と、前記管理手段により管理されている情報をもとにアプリケーションソフトを起動する起動手段と、アプリケーション毎の印刷設定値を記憶する印刷設定値記憶手段と、前記印刷設定記憶手段に記憶された設定値に基づき印刷を実行する印刷手段と、前記印刷手段により生成された印刷画像データを記憶保持する画像記憶手段と、前記画像記憶手段に記憶されている画像データを管理する文書管理手段を有することを特徴とする。
【０００８】
また、請求項２記載の印刷システムは、前記画像記憶手段に印刷画像データが記憶保持された後に、前記記憶領域共有手段により共有される記憶領域に書き込まれたドキュメントデータファイルを削除するデータ消去手段を有することを特徴とする。
【０００９】
また、請求項３記載の印刷システムは、前記印刷設定値記憶手段に記憶された設定情報と、前記起動アプリケーションソフト管理手段に記憶された設定情報を変更する設定手段を有することを特徴とする。
【００１０】
また、請求項４記載の印刷システムは、前記文書管理手段で管理された画像データを選択する印刷データ選択手段と、印刷モードを設定する印刷モード設定手段と、前記印刷データ選択手段ならびに前記印刷モード設定手段により指示された内容に基づき印刷を実行する印刷手段を有することを特徴とする。
【００１１】
また、請求項５記載の印刷システムの制御方法は、アプリケーションソフトによりドキュメントデータを作成する複数のホストコンピュータと、ホストコンピュータ上で動作するアプリケーションソフトを動作させることが可能な印刷装置を備えた印刷システムにおいて、前記複数のホストコンピュータと前記印刷装置で記憶領域を共有する記憶領域共有ステップと、アプリケーションソフトにより作成されたドキュメントデータファイルが前記記憶領域共有ステップにより共有される記憶領域に書き込まれたことを監視する監視ステップと、ドキュメントデータファイルの拡張子に応じて起動するアプリケーションソフトを管理する起動アプリケーションソフト管理ステップと、前記管理ステップにより管理されている情報をもとにアプリケーションソフトを起動する起動ステップと、アプリケーション毎の印刷設定値を記憶する印刷設定値記憶ステップと、前記印刷設定記憶ステップに記憶された設定値に基づき印刷を実行する印刷ステップと、前記印刷ステップにより生成された印刷画像データを記憶保持する画像記憶ステップと、前記画像記憶ステップに記憶されている画像データを管理する文書管理ステップを有することを特徴とする。
【００１２】
また、請求項６記載の印刷システムの制御方法は、前記画像記憶ステップに印刷画像データが記憶保持された後に、前記記憶領域共有ステップにより共有される記憶領域に書き込まれたドキュメントデータファイルを削除するデータ消去ステップを有することを特徴とする。
【００１３】
また、請求項７記載の印刷システムの制御方法は、前記印刷設定値記憶ステップに記憶された設定情報と、前記起動アプリケーションソフト管理ステップに記憶された設定情報を変更する設定ステップを有することを特徴とする。
【００１４】
また、請求項８記載の印刷システムの制御方法は、前記文書管理ステップで管理された画像データを選択する印刷データ選択ステップと、印刷モードを設定する印刷モード設定ステップと、前記印刷データ選択ステップならびに前記印刷モード設定ステップにより指示された内容に基づき印刷を実行する印刷ステップを有することを特徴とする。
【発明の効果】
【００１５】
本実施の形態によれば、ホストコンピュータ、印刷装置で共有された共有フォルダにドキュメントファイルをコピー（複写）することで、印刷装置側に存在するアプリケーションソフトを利用して印刷を行うことが出来るようになるため、各ＰＣへのドライバソフトのインストールやアプリケーションソフトにより作成されたドキュメントデータの印刷設定などの作業を軽減することが可能になる。さらに、印刷用に形成した画像データを印刷装置に蓄積記憶し、蓄積記憶された画像データを利用して種々の印刷モードでの印刷が可能になるため、再印刷時の印刷時間を短くすることが可能になるため、ユーザーの作業効率を向上できる利便性に優れた印刷システムを提供することが可能である。
【発明を実施するための最良の形態】
【００１６】
以下、本発明の実施の形態を図面を参照して説明する。
【実施例】
【００１７】
図１は、本発明の一実施形態を示す画像処理装置を適用可能な画像処理システムの一例を示すブロック図であり、画像処理装置としての画像入出力システム１００は、イーサネット（登録商標）等のＬＡＮ（Ｌｏｃａｌ  Ａｒｅａ  Ｎｅｔｗｏｒｋ）６００にてホストコンピュータ（本実施形態では第一のホストコンピュータ６０１、第二のホストコンピュータ６０２）に接続されているシステム例である。
【００１８】
上記画像入出力システム１００は、画像データの読取処理を行うリーダー装置（リーダー部）２００と、画像データの出力処理を行うプリンタ装置（プリンタ部）３００と、画像データの入出力操作を行うキーボード、及び画像データや各種機能の表示／設定などを行う液晶パネルを備えた操作部１５０と、リーダー装置２００を制御して読み込んだ画像データや、ＬＡＮ６００を介してホストコンピュータ６０１、６０２より受信したコードデータから生成される画像データを格納／保存できるハードディスクドライブ（ＨＤＤ）１６０を装着し、これら各構成要素に接続されて該構成要素を制御する単一の電子部品からなる制御装置（コントローラ部）１１０で構成されている。
【００１９】
リーダー装置２００は、原稿用紙を搬送する原稿給送ユニット（ＤＦユニット）２５０と、原稿画像を光学的に読み取って電気信号としての画像データに変換するスキャナユニット２１０とを有し、プリンタ装置３００は、記録用紙を収容する複数段の給紙カセットを備えた給紙ユニット３１０と、画像データを記録用紙に転写／定着するマーキングユニット（部）３２０と、印字された記録用紙にソート処理やステイプル処理を施し、外部に排出する排紙ユニット（部）３３０とを有している。
【００２０】
制御装置１１０は、リーダー部２００を制御して、原稿の画像データを読込み、プリンタ部３００を制御して画像データを記録用紙に出力してコピー機能を提供する。
【００２１】
また、リーダー部２００から読み取った画像データを、コードデータに変換し、ネットワーク６００を介してホストコンピュータ６０１，６０２へ送信するスキャナ機能、ホストコンピュータからネットワーク６００を介して受信したコードデータを画像データに変換し、プリンタ部３００に出力するプリンタ機能、その他の機能ブロックを有している。
【００２２】
図２はリーダー部２００及びプリンタ部３００の詳細を示す断面図である。
【００２３】
リーダー部２００では、原稿給送ユニット２５０に積層された原稿用紙がその積層順に従って、先頭から順次１枚ずつプラテンガラス２１１上へ給送され、スキャナユニット２１０で所定の読み取り動作が終了した後、読み取られた原稿用紙は、プラテンガラス２１１上の原稿を排出トレイ２１９に排出される。また、原稿用紙がプラテンガラス２１１上に搬送されると、ランプ２１２を点灯し、次いで光学ユニット２１３の移動を開始させ、原稿用紙を下方から照射し走査する。そして、原稿用紙からの反射光は、複数のミラー２１４、２１５、２１６、及び、レンズ２１７を介してＣＣＤイメージセンサ（以下「ＣＣＤ」と記す）２１８へ導かれ、走査された原稿画像はＣＣＤ２１８によって読み取られる。ＣＣＤ２１８で読み取られた画像データは、所定の処理が施された後、コントローラ部１１０に転送される。
【００２４】
原稿給送ユニット２５０が原稿流し読み機能を有している場合、原稿給送部２５０に積層された原稿用紙は、原稿流し読み位置２４０を一定の速度で通過する。この場合、光学ユニット２１３は原稿流し読み位置２４０に移動し、等速で搬送される原稿をランプ２１２によって照射し、ＣＣＤ２１８によって随時読み取ることで画像データを生成し、コントローラ部１１０に転送される。
【００２５】
次いで、プリンタ部３００では、コントローラ部１１０から出力された画像データに対応するレーザ光が、レーザドライバ３２１により駆動されるレーザ発行部３２２から発行され、感光ドラム３２３にはレーザ光に応じた静電潜像が形成され、現像器３２４により前記静電潜像の部分に現像剤が付着される。
【００２６】
一方、レーザ光の照射開始と同期したタイミングで、カセット３１１、カセット３１２、カセット３１３、カセット３１４、手差し給紙段３１５のいずれかから記録用紙が給紙されて転写部３２５に搬送路３３１により搬送され、感光ドラム３２３に付着している現像剤を記録用紙に転写する。画像データが転写された記録用紙は搬送ベルト３２６によって、定着部３２７に搬送され、定着部３２７における加熱・加圧処理により画像データが記録紙に定着される。定着部３２７を通過した記録紙は搬送路３３５、搬送路３３４を通り、排紙ビン３２８に排出される。印字面を反転して排紙ビン３２８に排出する場合には、搬送路３３６、搬送路３３８まで導かれ、そこから記録紙を逆方向に搬送し、搬送路３３７、搬送路３３４を通り、排紙ビン３２８に排出される。図に記していないが、排紙ビンの変わりに、排紙ユニットを装着することが可能で、排紙ユニットは排出された記録用紙を束ねて記録用紙の仕分け、仕分けされた記録用紙のステイプル処理などを行うことができる。
【００２７】
また、画像データを記録用紙に両面記録する場合は、定着部３２７を通過したあと、記録紙は、搬送路３３６からフラッパ３２９によって搬送路３３３に導かれ、その後、記録紙を逆方向に搬送し、フラッパ３２９によって搬送路３３８、再給紙搬送路３３２へ導かれる。再給紙搬送路３３２へ導かれた記録紙は上述と同様にして搬送路３３１を通り、転写部３２５へ給紙される。
【００２８】
図３は、図１に示したコントローラ部（コントロールユニット）１１０の詳細を説明するブロック図であり、図１と同一のものには同一の符号を付してある。図３において、１１０はコントローラ部で、コントローラ部１１０は画像入力デバイスであるリーダー部２００や、画像出力デバイスであるプリンタ部３００と接続し、一方ではＬＡＮ６００や公衆回線（ＷＡＮ）６５０と接続することで、画像情報やデバイス情報の入出力が行われる。
【００２９】
１１１はＣＰＵでシステム全体を制御するコントローラである。１１２はＲＡＭで、ＣＰＵ１１１が動作するためのシステムワークメモリであり、画像データを一時記憶するための画像メモリでもある。１１３はＲＯＭで、ブートＲＯＭとして機能し、システムのブートプログラムが格納されている。１６０はハードディスクドライブ（ＨＤＤ）で、システムソフトウェアや画像データなどを格納することができる。１１４は共有フォルダで、ＬＡＮ６００上に接続されたホストコンピュータ（別図６０１、６０２）と記憶領域を共有し、各々が読み書き可能なデータファイルを保持することが可能である。１１６は操作部Ｉ／Ｆで、操作部１５０とのインタフェース部として機能し、操作部１５０に表示する画像データを操作部１５０に対して出力する。また、操作部１５０から本システム使用者が入力した情報をＣＰＵ１１１に伝える役割をする。１２０はネットワーク（Ｎｅｔｗｏｒｋ）で、ＬＡＮ６００に接続し、情報の入出力が行われる。１２１はモデム（Ｍｏｄｅｍ）で、公衆回線（ＷＡＮ）６５０に接続し、情報の入出力が行われる。以上のデバイスがシステムバス１１７上に配置される。１１５はイメージバスＩ／Ｆ（Ｉｍａｇｅ  Ｂｕｓ  Ｉ／Ｆ）で、システムバス１１７と画像データを高速で転送する画像バス１１８を接続し、データ構造を変換するバスブリッジである。１１８は画像バスで、ＰＣＩバスまたはＩＥＥＥ１３９４で構成される。画像バス１１８上には以下のデバイスが配置される。１２３はラスタイメージプロセッサ（ＲＩＰ）で、ＰＤＬコードをビットマップイメージに展開する。１２４は画像圧縮部で、多値画像データはＪＰＥＧ、２値画像データはＪＢＩＧ、ＭＭＲ、ＭＨの圧縮伸長処理を行う。１２５はデバイスＩ／Ｆ部で、画像入出力デバイスであるリーダー部２００やプリンタ部３００とコントローラ部１１０を接続し、画像データの同期系／非同期系の変換を行う。１２６は画像処理部で、入力画像データに対し補正、加工、編集を行う。
【００３０】
図４は、本システムにおけるホストコンピュータにより共有フォルダ１１４に書き込まれたドキュメントファイルを印刷する際のファイル監視手段４０２の処理概略図である。
【００３１】
画像入出力システム１００は、イーサネット（登録商標）等のＬＡＮ（Ｌｏｃａｌ  Ａｒｅａ  Ｎｅｔｗｏｒｋ）６００にてホストコンピュータ（本実施形態では第一のホストコンピュータ６０１、第二のホストコンピュータ６０２）に接続されている。画像入出力システム１００は、画像データの入出力操作を行うキーボード、及び画像データや各種機能の表示／設定などを行う液晶パネルを備えた操作部１５０、システムソフトウェアや画像データを格納／保存できるＨＤＤ１６０を有している。ＨＤＤ１６０は、共有フォルダ１１４、画像記憶部４００を有している。なお、本実施例では、共有フォルダ１１４は画像入力システム装置に存在する形態になっているが、ネットワーク上に存在する他の機器（例えば、ホストコンピュータ６０１、６０２）に存在しても構わない。
【００３２】
ドキュメントファイル４０１はホストコンピュータ６０１，６０２上のアプリケーションソフトで作成されたファイルで、ホストコンピュータ６０１、６０２上で共有フォルダ１１４として見えている記憶領域にコピーされる。画像入出力システム装置上では、ファイル監視手段４０２により共有フォルダ１１４にファイルが書き込まれたかが監視されている。ファイル監視手段４０２が共有フォルダ１１４にファイルが書き込まれたことを検知すると、ファイル／起動アプリ関連付け情報４０３を参照し、画像入出力システム上で起動するアプリケーションソフトの特定を行う。ファイル／起動アプリ関連付け情報４０３は、画像入出力システム上で起動可能なアプリケーションソフトが登録されており、書き込まれたファイルの拡張子を抽出し、情報を参照することで起動するアプリケーションが特定される。ファイル／起動アプリ関連付け情報４０３には、起動するアプリケーションソフト４０４の印刷設定値４０５を特定する情報も記述されており、ファイル監視手段４０２はこれらの情報を基に、アプリケーションソフト４０４の起動および印刷指示を行う。印刷指示されるとアプリケーションソフト４０４は、画像入出力システム１００に存在するドライバソフトを使用して印刷画像の形成を行い、形成された画像データは、印刷４０６および文書管理部９００を通じて画像記憶部４００に画像データファイル４０７として蓄積保存される。蓄積保存された画像データファイル４０７は文書管理部９００で管理され、文書管理部を参照することで蓄積保存された画像データを操作することが可能となる。
【００３３】
図５は、ファイル／起動アプリ関連付け情報４０３のデータ構造例を示す図である。
【００３４】
ファイル／起動アプリ関連付け情報４０３内には、ファイル拡張子を基に、起動するアプリケーションソフトと、起動したアプリケーションソフトの印刷設定情報が関連付けされて記憶されている。ファイル監視手段４０２は、共有フォルダ１１４にファイルを検知すると、書き込まれたファイルの拡張子を抽出し、ファイル／起動アプリ関連付け情報４０３内に抽出した拡張子に一致する内容が存在するかを検索し、起動するアプリケーションソフトと、起動するアプリケーションソフトの印刷設定情報を特定する。ファイル監視手段４０２は、特定した情報を基に印刷処理の指示を行う。なお、ファイル／起動アプリ関連付け情報４０３は、操作部１５０からの入力により編集することが可能である。
【００３５】
図６は、印刷設定情報のデータ構造例を示す図である。
【００３６】
印刷設定情報は、アプリケーションごとに作られ、出力用紙サイズ、部数、印刷用紙の向き、などの情報が記憶されており、印刷設定情報に記憶されている値が印刷設定値として利用される。印刷設定情報もファイル／起動アプリ関連付け情報４０３同様に操作部１５０からの入力により編集することが可能である。
【００３７】
図７は、文書管理部の管理構造例示す図である。
【００３８】
文書管理部９００は、ホストコンピュータ６０１、６０２から送信される種々の印刷データに柔軟に対応するため、フォルダ管理部９０１、ジョブ管理部９０２、バインダ管理部９０３、ドキュメント管理部９０４、ページ管理部９０５で構成され、それぞれ管理情報（属性値）を持っている。本実施例におけるドキュメントファイル４０１の印刷データが蓄積保存される場合、ジョブ管理部９０２−バインダ管理部９０３−ドキュメント管理部９０４はそれぞれ１つ使用される形になり、印刷されたページがそれぞれページ管理部に対応付けられることになる。
【００３９】
文書管理部９００は、１つまたは複数のフォルダ管理部９０１で構成され、フォルダ管理部９０１の管理情報が格納されている。フォルダ管理部９０１は、１つまたは複数のジョブ管理部９０２で構成され、ジョブ管理部９０２の管理情報が格納されている。ジョブ管理部９０２は、１つまたは複数のバインダ管理部９０３で構成され、バインダ管理部９０２の管理情報が格納されている。バインダ管理部９０３は、１つまたは複数のドキュメント管理部９０４で構成され、ドキュメント管理部９０４の管理情報が格納されている。ドキュメント管理部９０４は、１つまたは複数のページ管理部９０５で構成され、ページ管理部９０５の管理情報が格納されている。ページ管理部９０５は、画像記憶部４００に保存された、ページごとの印刷画像データに対応付けられている。文書管理部９００に保存された情報と、画像記憶部４００に保存された画像データから画像蓄積時に投入されたジョブ８１４を再現することが可能である。また、保存されている情報を再設定することで投入時のジョブと異なる動作をさせることも可能である。
【００４０】
図８は、本システムにおける文書管理部に蓄積保存された印刷画像データの処理概略図である。
【００４１】
画像記憶部４００に蓄積保存された印刷画像データ４０７は文書管理部９００により管理されている。文書管理部９００に管理されている情報は操作部１５０に表示され、操作部１５０から再印刷する文書を選択する。さらに、再印刷時の印刷設定を操作部１５０で行うことが可能で、ここで設定された情報を基に記憶画像印刷手段４０８により再印刷処理が行われる。
【００４２】
再印刷処理では、既にアプリケーションソフトを介して形成された印刷画像データを利用するため、画像データのサイズを変更する変倍処理などの画像変換処理が入らない場合は、印刷画像データをそのまま利用して再印刷を行うので、再印刷に要する時間を軽減することが可能となる。
【００４３】
図９は、ホストコンピュータにより共有フォルダに書き込まれたドキュメントファイルを印刷する際のファイル監視手段４０２における処理フローチャートである。
【００４４】
Ｓ１００１では、共有フォルダ１１４にドキュメントファイル４０１が存在するかの判別を行う。ドキュメントファイル４０１が存在しない場合は監視を続ける。ドキュメントファイル４０１が存在すると判別した場合Ｓ１００２に進み、共有フォルダ１１４に書き込まれたドキュメントファイル名からファイル拡張子の抽出を行う。Ｓ１００３では、ファイル／起動アプリ関連付け情報４０３内にＳ１００２で抽出した拡張子が存在するか検索を行う。Ｓ１００４では、Ｓ１００３における検索の結果、関連する情報が存在するかの判別を行う。関連する情報が存在しない場合はＳ１０１３に進み、共有フォルダ１１４に書き込まれたドキュメントファイル４０１を消去して処理を終了する。Ｓ１００４にて、関連する情報が存在すると判別された場合、Ｓ１００５にて印刷設定情報を検索する。Ｓ１００６では、Ｓ１００４における検索の結果、印刷設定情報が存在するかの判別を行う。印刷設定情報が存在しない場合はＳ１０１３に進み，共有フォルダ１１４に書き込まれたドキュメントファイル４０１を消去して処理を終了する。Ｓ１００６にて、印刷設定情報が存在すると判別された場合、Ｓ１００７にて使用されるプリンタドライバの印刷設定を行う。Ｓ１００８では、共有フォルダ１１４に書き込まれたドキュメントファイル４０１を指定してアプリケーションソフトを起動する。Ｓ１００９では、起動したアプリケーションソフトに対して印刷指示を行い印刷処理を実行させる。Ｓ１０１０では、アプリケーションソフトの印刷指示によりプリンタドライバソフト内でＳ１００７で設定された印刷設定値を基に印刷画像を形成する。Ｓ１０１１では、Ｓ１０１０で形成された画像を文書管理部９００を通して画像記憶部４００への蓄積格納を行う。なお、蓄積記憶先情報は印刷設定情報にて指示することが可能で、指示が無い場合は文書管理部９００により蓄積記憶先が割り当てられる。Ｓ１０１２では、Ｓ１０１０で形成された画像を実際の出力紙に印字する印刷処理が実行される。これらの処理が終了すると、Ｓ１０１３にて共有フォルダ１１４に書き込まれたドキュメントファイル４０１を消去し、処理を終了する。これら一連の処理により、共有フォルダ１１４に書き込まれたファイルの印刷および印刷した画像の蓄積記憶が可能になる。
【００４５】
図１０は、文書管理部に蓄積保存された印刷画像データを印刷する際の記憶画像印刷手段４０８における処理フローチャートである。
【００４６】
Ｓ２００１では、蓄積画像印刷が指示されたかの判別を行う。蓄積画像印刷が指示されない場合は蓄積画像印刷の指示を待つ。Ｓ２００１で蓄積画像印刷が指示された場合は、Ｓ２００２で蓄積画像選択処理を実行する。蓄積画像選択処理は、文書管理部９００に管理されている情報を使用し、操作部１５０に表示された内容から印刷する画像の選択を行う。Ｓ２００３では、印刷設定の変更の指示がされたかの判別を行う。印刷設定変更の指示がされない場合はＳ２００５にて印刷開始の指示がされたかの判別を行う。Ｓ２００３にて印刷設定変更の指示がされた場合はＳ２００４にて印刷設定入力処理を実行する。ここで入力された情報は、印刷設定値４０５に記憶保持され印刷処理時に参照される。Ｓ２００５では、印刷開始の指示がされたかの判別を行う。印刷開始が指示されない場合Ｓ２００７に進み中止が指示されたかの判別を行う。Ｓ２００５で印刷開始が指示された場合Ｓ２００６に進み印刷処理を実行し処理を終了する。Ｓ２００７では中止の指示がされたかの判別を行う。中止が指示されない場合はユーザーからの入力待ち状態となり、Ｓ２００３の印刷設定変更の指示がされたかの判別等、一連の処理繰り返す。Ｓ２００７で中止が指示された場合は処理を終了する。これら一連の処理により、文書管理部９００を通して画像記憶部４００に蓄積記憶された印刷用に形成された画像データの再印刷が可能になる。
【図面の簡単な説明】
【００４７】
【図１】本発明に係わる画像処理システムの一例を示すブロック構成図である。
【図２】本発明に係わる画像処理システムのリーダー部及びプリンタ部の詳細図である。
【図３】本発明に係わる電子部品としてのコントローラ部の詳細を示すブロック構成図である。
【図４】本発明に係わるホストコンピュータにより共有フォルダに書き込まれたドキュメントファイルを印刷する際の処理概略図である。
【図５】本発明に係わるファイル／起動アプリ関連付け情報のデータ構造例を示す図である。
【図６】本発明に係わる印刷設定情報のデータ構造例を示す図である。
【図７】本発明に係わる文書管理部の管理構造例を示す図である。
【図８】本発明に係わる文書管理部に蓄積保存された印刷画像データの処理概略図である。
【図９】本発明に係わるホストコンピュータにより共有フォルダに書き込まれたドキュメントファイルを印刷する際の処理フローチャートである。
【図１０】本発明に係わる文書管理部に蓄積保存された印刷画像データの処理フローチャートである。
【符号の説明】
【００４８】
１００  画像入出力システム
１１０  制御装置（コントローラ部）
１５０  操作部
１６０  ＨＤＤ
２００  リーダー装置（リーダー部）
２１０  スキャナユニット
２５０  原稿給紙ユニット（ＤＦユニット）
３００  プリンタ装置（プリンタ部）
３１０  給紙ユニット
３２０  マーキングユニット
３３０  排紙ユニット
６００  ＬＡＮ
６０１  ＰＣ（第一のホストコンピュータ）
６０２  ＰＣ（第二のホストコンピュータ）
【図１】
2006244150.tif 000003
【図２】
2006244150.tif 000004
【図３】
2006244150.tif 000005
【図４】
2006244150.tif 000006
【図５】
2006244150.tif 000007
【図６】
2006244150.tif 000008
【図７】
2006244150.tif 000009
【図８】
2006244150.tif 000010
【図９】
2006244150.tif 000011
【図１０】
2006244150.tif 000012